(57)【要約】【課題】ロープの戻り時の力でケースに不安定に突き立たせておくのを不要にでき、作業中および作業終了後に取り扱い上邪魔になるのを防止できるリコイルスタータを提供すること。    【解決手段】刈払機に用いられるリコイルスタータ６において、外装用ケース１０の外部へ引き出されるロープ８の引き操作を行うハンドルを、ケース１０に設けられたハンドル嵌合部２０に嵌合配置した。この際、ロープ８にボール２５を挿通しておき、ハンドル３０をハンドル嵌合部２０に嵌合させることで、当該ハンドル３０でボール２４を押圧し、ロープ８引き出し用の連通孔をシールした。【選択図】図１
2010236432.tif 000002
【特許請求の範囲】
【請求項１】
リコイルスタータにおいて、
外装用ケースの外部へ引き出されるロープの引き操作を行うハンドルを備え、
前記ケースには、前記ハンドルが嵌合配置されるハンドル嵌合部が設けられている
ことを特徴とするリコイルスタータ。
【請求項２】
請求項１に記載のリコイルスタータにおいて、
前記ロープにはボールが挿通され、
このボールにより前記ロープの引き出し用の連通孔が塞がれる
ことを特徴とするリコイルスタータ。
【請求項３】
請求項１または請求項２に記載のリコイルスタータにおいて、
前記ハンドル嵌合部は、前記ハンドルの外周を囲う矩形箱状とされているとともに、互いに対向する一対の摺動壁を有し、
前記一対の摺動壁と前記ハンドルに設けられた一対の接触面部とが嵌合する
ことを特徴とするリコイルスタータ。
【請求項４】
作業機において、
請求項１ないし請求項３のいずれかに記載のリコイルスタータと、
前記リコイルスタータによって始動されるエンジンとを備えている
ことを特徴とする作業機。
【発明の詳細な説明】
【技術分野】
【０００１】
本発明は、例えばエンジン式の刈払機やチェーンソーなどの携帯型作業機に用いられるリコイルスタータおよびこれを備えた作業機に関する。
【背景技術】
【０００２】
従来、エンジン式の刈払機やチェーンソーなどの携帯型作業機の分野において、エンジンを手動操作にて始動させるためのリコイルスタータを設けることが知られている。
また、近年では、エンジンを小型の電動セルモータで始動させる作業機も一般化している（例えば特許文献１）。ただし、セルモータ付きの作業機であっても、バッテリの充電切れ等の不慮の事態に備えて、リコイルスタータが補助的に設けられており、手動にてエンジンをクランキングして始動させることも可能である。
【０００３】
【特許文献１】特開２００６−７７７５８号公報
【発明の開示】
【発明が解決しようとする課題】
【０００４】
しかし、例えば前述のようなセルモータ付きの作業機において、リオコイルスタータはあくまで補助的なものであって、頻繁に使用されるものではないにもかかわらず、ロープを引くためのハンドルは、セルモータが設けられていない従来のリコイルスタータ同様に堅固で大きいうえ、即座に把持できるよう、ロープに引っ張り力が作用したままリコイルスタータのケースに突き立った状態で付勢されている。このため、作業中、木や枝等の障害物に当たったり、引っ掛けたりして作業の邪魔になったり、また、作業終了後の作業機の清掃時やエアクリオーナ等のメンテナンス時にハンドルに触れた場合に姿勢を崩し易く、ハンドルが周囲のケース類やカバー類にあたって邪魔になるという問題がある。
【０００５】
さらに、手動式のリコイルスタータの中には、セルモータ付きの場合と同様に、ロープを引っ張る際の労力を軽減する目的でアシストバネを設けたものもある。このようなリコイルスタータでは、アシストバネが設けられていることで、エンジンを容易にクランキング可能である。
しかしながら、ロープを軽々と引くことができるこのようなリコイルスタータでも、ハンドル部分は従来と同様に堅固で大きく設けられ、かつロープの引っ張り力によりケースに突き立った状態で不安定に付勢されているため、やはり邪魔になる。
【０００６】
本発明の目的は、ロープの戻り時の力でケースに不安定に突き立たせておくのを不要にでき、作業中および作業終了後に取り扱い上邪魔になるのを防止できるリコイルスタータおよびこれを備えた作業機を提供することにある。
【課題を解決するための手段】
【０００７】
本発明のリコイルスタータは、外装用ケースの外部へ引き出されるロープの引き操作を行うハンドルを備え、前記ケースには、前記ハンドルが嵌合配置されるハンドル嵌合部が設けられていることを特徴とする。
【０００８】
本発明のリコイルスタータでは、前記ロープにはボールが挿通され、このボールにより前記ロープの引き出し用の連通孔が塞がれることを特徴とする。
この際、前記ボールは、前記ハンドル嵌合部への前記ハンドルの嵌合により当該ハンドルによって前記連通孔側に押圧される構成でもよく、前記ロープを巻き戻すための力により当該ロープによって前記連通孔側に押圧される構成でもよい。
【０００９】
本発明のリコイルスタータでは、前記ハンドル嵌合部は、前記ハンドルの外周を囲う矩形箱状とされているとともに、互いに対向する一対の摺動壁を有し、前記一対の摺動壁と前記ハンドルに設けられた一対の接触面部とが嵌合することを特徴とする。
【００１０】
本発明の作業機は、以上のいずれかのリコイルスタータと、前記リコイルスタータによって始動されるエンジンとを備えていることを特徴とする。
【発明の効果】
【００１１】
本発明のリコイルスタータおよび作業機によれば、ハンドルはハンドル嵌合部内に体良く嵌合配置されるので、ロープの戻り時の力でケース等に対して不安定に突き立っている訳ではない。従って、周囲にぶつかる心配がなく、邪魔にならないため、作業中の取り扱いや作業終了後の作業機の清掃、あるいは他のメンテナンスをハンドルが気にならずに容易にできる。
【００１２】
本発明において、ロープにはボールが挿通され、このボールによりロープの引き出し用の連通孔がシールされている場合には、連通孔を伝って雨水等の水滴がリコイルスタータ内部に浸入するのを防止でき、耐候性を向上させることができる。
【００１３】
本発明において、箱状に形成されたハンドル嵌合部の一対の摺動壁とハンドル側の接触面部とを嵌合させる場合には、ハンドル嵌合部およびハンドルが全周にわたって接触することにならないため、適当な係脱力でハンドルの係脱操作を行うことができ、取扱を容易にできる。
【発明を実施するための最良の形態】
【００１４】
［第１実施形態］
以下、本発明の第１実施形態を図面に基づいて説明する。
図１は、本実施形態に係るリコイルスタータ６が用いられた刈払機（作業機）の本体１を示す斜視図。図２は、リコイルスタータ６の構成部品を示す正面図。図３は、図２のIII−III線断面図。図４は、本実施形態の要部を拡大して示す図。
【００１５】
本実施形態での刈払機は、作業者によって背負われる図示しないＬ字状のフレームに対し、エンジン２を有する本体１が水平軸回りに回動自在に搭載された背負い式である。このような背負い式の刈払機は、詳細な図示を省略するが、エンジン２に回動自在に取り付けられたスイベルギヤケースを備えており、このスイベルギヤケースを介してエンジン２の出力軸とフレキシブルシャフトの基端側とが連結される。フレキシブルシャフトの先端側の約半分は、ハンドルが取り付けられた金属製でパイプ状の竿に挿通され、竿の先端に取り付けられるカッタに動力を伝達する。
【００１６】
刈払機の本体１は、エンジン２の他、エンジン２に燃料と吸気との混合気を供給するキャブレタ３、キャブレタ３に供給される吸気を清浄化するエアクリーナ４、エンジン２からの排気ガスを通過させる排気マフラ５、およびエンジン２を始動させるリコイルスタータ６を備えている。なお、背負い式の刈払機では、前述の背負いフレームの中空部分が燃料タンクとして用いられることが多い。
【００１７】
ここで、本実施形態のリコイルスタータ６の斜め下方には、ハンドル側でのスイッチ操作により起動するセルモータ７が設けられている。セルモータ７の駆動軸に取り付けられた遊星歯車を介してリコイルスタータ６側の動力伝達歯車を駆動することにより、アシストスバネに機械的エネルギを蓄積し、蓄積された機械的エネルギを開放することでエンジン２をクランキングし、始動させることが可能である。つまり、本実施形態での刈払機は、通常セルモータ７によってエンジン２を始動する構成であり、リコイルスタータ６は補助的に用いられる。
【００１８】
リコイルスタータ６は、セルモータ７からの駆動力を機械的エネルギとして蓄積する前記アシストバネや、このアシストバネを保持し、かつ動力伝達歯車として機能するアシストバネホルダ、アシストバネホルダに対してラチェット機構を介して連結されるリール、リールに巻回されたロープ８などで構成されている。ただし、このような構成は、従来からある構成と変わりないため、ここでの更なる詳細な説明を省略し、以下にはリコイルスタータ６の特徴的な外部構成について説明する。
【００１９】
リコイルスタータ６は、内部に前述した構成部品が収容される外装用のケース１０を備えている。ケース１０は、図２〜図４にも示すように、刈払機が背負われた状態のときに鉛直面を形成する大きな表面部１１を有し、エンジン２のクランクケースに取付ネジ１０Ａ（図４）によって取り付けられる。表面部１１の一角には、エンジン２側に一段窪んだ嵌合用段差部１２が設けられている。
【００２０】
嵌合用段差部１２は、表面部１１の面内方向において互いに略平行とされた長短一対の摺動壁１３，１４を有し、これら摺動壁１３，１４の一端側がケース１０の湾曲した辺縁１０Ｂに沿って開口している。摺動壁１３，１４の他端側には、該摺動壁１３，１４に対して折曲した一対の対面壁１５，１６の一端が連続して設けられており、対面壁１５，１６の先端間には、表面部１１から嵌合用段差部１２の底面１７と同じ位置まで窪んだ小さな収容用段差部１８が設けられている。この収容用段差部１８と嵌合用段差部１２とは連通している。
【００２１】
嵌合用段差部１２において各対面壁１５，１６は、表面部１１から連続して延設されたガード片１９によって覆われている。そして、嵌合用段差部１２の摺動壁１３，１４、対面壁１５，１６、およびガード片１９で囲われた部分により、矩形箱状のハンドル嵌合部２０が形成されている。ハンドル嵌合部２０内には、ロープ８の先端に取り付けられたハンドル３０が係脱自在に嵌合される。この際、ハンドル３０の係脱方向は、表面部１１の面内方向であり、図示しないリール回転軸に対して直交する方向である。
【００２２】
ハンドル３０は、従来用いられているハンドルよりも小型、軽量化されており、作業者によって把持可能な長さ寸法を有している。ハンドル３０としては、アシストバネに機械的エネルギを蓄積するためのロープ８の引き操作に耐え得る程度の強度や耐久性を備えていればよい。ハンドル３０の長手方向の両端部には、嵌合用段差部１２の摺動壁１３，１４と接触する接触面部３１，３２が設けられている。すなわち、ハンドル嵌合部２０内にハンドル３０を嵌合させる際には、接触面部３１，３２を摺動面１３，１４に接触させ、摺動させながらハンドル３０を入れ込むことになる。なお、ハンドル３０の嵌合にあたっては、ハンドル３０の一方の面とガード片１９の内面とを接触させ、また、他方の面と嵌合用段差部１２の底面１７とを接触させてもよい。
【００２３】
ハンドル嵌合部２０内にあってハンドル３０は、接触面部３１，３２と摺動面１３，１４との摩擦によって嵌合しているのであり、ハンドル３０の両側面部３３と嵌合用段差部１２の底面１７との間、および両側面部３３とガード片１９の裏面との間は、それぞれ微小な隙間となっているか、または摩擦が殆どない状態で接触している。
【００２４】
一方、収容用段差部１８において、ハンドル３０と対向した対向面２１には、内外を連通させるロープ８引き出し用の連通孔２２が設けられている。連通孔２２には、対向面２１に当接されるフランジ部２３を有したゴム製等の筒状シール部材２４が挿入されており、シール部材２４内をロープ８が通されている。また、ロープ８には、合成樹脂製のボール２５が挿通されている。
【００２５】
ボール２５は、ハンドル３０がハンドル嵌合部２０内に嵌合されているとき、ハンドル３０によってシール部材２４側に押圧され、シール部材２４のフランジ部２３と密着してシール部材２４のロープ孔を塞いでいる。この構成により、シール部材２４のロープ孔からは雨水等の水滴が浸入し難くなり、シール性が確保される。内部に電機部品であるセルモータ７が設けられているリコイルスタータ６では、ロープ孔を確実に止水することが肝要である。
【００２６】
また、ボール２５によってハンドル３０の入れ込み量が規定されており、ハンドル３０が嵌合用段差部１２の対面壁１５，１６に当接しない位置まで入れ込まれる。すなわち、ハンドル３０がハンドル嵌合部２０内に嵌合された状態では、ボール２５が介装されていることで、ハンドル３０と対面壁１５，１６との間にわずかな隙間が形成される。この時、ハンドル３０は、その高さ方向の約半分がガード片１９でガードされることになる。
【００２７】
なお、このガード片１９は、前述したように、ハンドル３０との間で積極的に摩擦力を生じされる部位ではなく、ハンドル３０が嵌合用段差部１２から外方に外れるのを防止する目的で設けられている。
【００２８】
そして、本実施形態のリコイルスタータ６では、ハンドル３０を用いてロープ８を引く場合、作業者は先ず、収容用段差部１８に指を差し入れてハンドル３０をハンドル嵌合部２０からロープ８の引っ張り方向に外し、図４に示すように、ハンドル３０を把持しながらロープ８を引き出す。この際、リコイルスタータ６は、内部にアシストバネを有した構成なので、勢いよくロープ８を引く必要はなく、リールを回転させてアシストバネにその一端側から確実に機械的エネルギを蓄積すればよい。
【００２９】
アシストバネに機械的エネルギが蓄積され、予め設定された蓄積限界を超えると、アシストバネは他端側から開放されて機械的エネルギが放出され、クランキングが生じてエンジン２が始動する。エンジン２の始動によりリコイルスタータ６の操作を終えたら、ハンドル３０をハンドル嵌合部２０に戻し、嵌合させておく。この際、ハンドル３０は、ロープ８を巻き戻すための力によって引張力を受けているが、この引張力でハンドル嵌合部２０内に位置しているのではなく、ハンドル嵌合部２０との嵌合によって位置することになる。
【００３０】
以上の本実施形態によれば、ハンドル３０が従来に比して小型、軽量化されているうえ、ハンドル嵌合部２０内に嵌合した状態で収容配置され、また、表面部１１から窪んだ箇所に位置していることで、ロープ８の戻り時の力でケース１０に対して不安定に突き立っている訳ではないため、作業者が触れてもハンドル３０が倒れて周囲にぶつかるようなことはなく、邪魔にならない。従って、作業終了後の刈払機の清掃や、他のメンテナンスをハンドル３０が気にならずに容易にできるのである。
【００３１】
［第２実施形態］
図５には、本発明の第２実施形態が示されている。本実施形態の刈払機は肩掛け式であり、エンジン２の下方に燃料タンク９を備えている。また、リコイルスタータ６の丁度下方位置に図示しないセルモータが取り付けられている。リコイルスタータ６のケース１０において、その湾曲した上面部２６には、上方に開口した矩形箱状のハンドル嵌合部２０が設けられている。
【００３２】
ここでのハンドル嵌合部２０は、ハンドル３０の外周を囲うようにガード片１９が立設しており、ガード片１９の前面側中央には、作業者の指を差し入れる切欠開口２７がエンジン２側に窪んだ形状に設けられている。このようなハンドル嵌合部２０にハンドル３０嵌め込まれている状態ではやはり、ハンドル３０の両端に設けられた接触面部３１，３２と、これに対向したガード片１９の内面で形成される摺動壁１３，１４が接触し、これらの摩擦力によってハンドル３０がハンドル嵌合部２０に嵌合されている。
【００３３】
この際、切欠開口２７６内にはボール２５が収容されている訳ではなく、ハンドル３０の入れ込み量は、ハンドル３０がハンドル嵌合部２０の底面まで当接される位置まで入れ込まれてもよいし、互いに対向した位置にある摺動壁１３，１４間の間隔を、下方に向かうに従って狭めるように設けておき、ハンドル３０が当接される前に位置決めされるようにしてもよい。
【００３４】
ところで、本実施形態では、切欠開口２７から側方にずれた位置に連通孔が設けられ、この連通孔内にシール部材２４が嵌め込まれ、シール部材２４のフランジ部２３にボール２５が座している。この際、ボール２５は、ハンドル３０によって押圧されている訳ではなく、ロープ８の引張力によって押圧されることになる。
【００３５】
つまり、ロープ８は、その端部がハンドル３０に取り付けられている一方で、途中位置の結び目等によりボール２５が抜けないようになっている。ロープ８がリールに巻回されている状態では、その結び目がボール２５に引っ掛かり、ボール２５を押圧している。従って、ボール２５とハンドル３０との間では、ロープ８には全く引張力が作用せず、ハンドル３０がハンドル嵌合部２０との摩擦力のみで位置していることになる。
【００３６】
以上の本実施形態でも、前述した第１実施形態と同様な効果を得ることができ、本発明の目的を達成できる。
【００３７】
なお、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００３８】
例えば、前記各実施形態では、リコイルスタータ６にセルモータ７が取り付けられていたが、本発明のリコイルスタータにおいてセルモータは必須の構成ではなく、省略可能である。また、セルモータの他、アシストバネをも備えていない旧来の構造のリコイルスタータに本発明を適用しても勿論よい。このような場合には、ハンドル自身の大きさは、各実施形態のものと比べて大きくなる可能性はあるが、ハンドル嵌合部に嵌合させておくことで、取り扱い上邪魔になるのを防止できる。
【産業上の利用可能性】
【００３９】
本発明は、刈払機やチェーンソーといった携帯型の作業機の他、小型エンジンを搭載した作業機全般にわたって利用できる。
【図面の簡単な説明】
【００４０】
【図１】本発明の第１本実施形態に係るリコイルスタータが用いられた刈払機の本体を示す斜視図。
【図２】リコイルスタータの構成部品を示す正面図。
【図３】図２のIII−III線断面図。
【図４】第１実施形態の要部を拡大して示す図。
【図５】本発明の第２本実施形態に係るリコイルスタータが用いられた刈払機の本体を示す斜視図。
【符号の説明】
【００４１】
２…エンジン、６…リコイルスタータ、８…ロープ、１０…ケース、１３，１４…摺動壁、２０…ハンドル嵌合部、２２…連通孔、２５…ボール、３０…ハンドル、３１，３２…接触面部。
【図１】
2010236432.tif 000003
【図２】
2010236432.tif 000004
【図３】
2010236432.tif 000005
【図４】
2010236432.tif 000006
【図５】
2010236432.tif 000007